(57)【要約】 【課題】  家庭内での仕事に集中したい時などには、住宅情報盤からの呼出音の発生を停止できるようにする。【解決手段】  ドアホン４０や集合玄関機１０などの玄関機からの呼出時に呼出音を発生する呼出音発生回路２６を有する住宅情報盤２０において、住宅情報盤に、呼出音の発生を停止する停止手段２７Ｃを設け、その停止手段が操作されるとき、玄関機から呼出があっても、呼出音発生回路２６から呼出音を出力させないように制御部３１が制御する。  この制御部は、停止手段が操作されるとき、呼出音発生回路２６とスピーカ２２ｓとの接続を遮断するように制御する。【選択図】図１
2008258695.tif 000002
【特許請求の範囲】
【請求項１】
玄関機からの呼出時に呼出音を発生する呼出音発生回路を有する住宅情報盤において、
前記住宅情報盤に、前記呼出音の発生を停止する停止手段を設け、
該停止手段が操作されるとき、前記玄関機から呼出があっても、前記呼出音発生回路から呼出音を出力させないように制御する制御部を設けたことを特徴とする住宅情報盤。
【請求項２】
前記制御部は、前記停止手段が操作されるとき、前記呼出音発生回路とスピーカとの接続を遮断するように制御することを特徴とする請求項１記載の住宅情報盤。
【請求項３】
前記停止手段が操作されるときに起動され、所定時間を計測するタイマを設け、該タイマによる前記所定時間が経過したときに、前記呼出音発生回路とスピーカとの遮断を解除することを特徴とする請求項２記載の住宅情報盤。
【請求項４】
前記集合玄関機からの情報を記録する記録手段を設け、前記タイマにより所定時間が計測されている間に、前記集合玄関機から呼出がある場合には、前記記録手段を動作させることを特徴とする請求項３記載の住宅情報盤。
【発明の詳細な説明】
【技術分野】
【０００１】
本発明は、住宅情報盤に関するものである。
【背景技術】
【０００２】
マンションなどの集合住宅には、インターホンシステムが設けられている。このシステムは、集合玄関に設けられる集合玄関機と、住戸内に設けられ、その集合玄関機からの呼出時に呼出音を発生する住宅情報盤と、住宅情報盤と集合玄関機との通話を制御する制御装置と、住宅情報盤に接続されたドアホンなどから構成されている。
【０００３】
このインターホンシステムにおける住宅情報盤としては、特許文献１に示すようなものがある。この特許文献１の住宅情報盤は、集合玄関機からの呼出時に、呼出音を段階的に大きくする音量調整回路を備えたものである。
【特許文献１】特開２０００−１９６７６４号公報
【発明の開示】
【発明が解決しようとする課題】
【０００４】
住宅情報盤では、集合玄関機やドアホンから呼出があった場合には、必ず呼出音を出力するようになっている。特に、部屋の大きさを考慮して、特許文献１のように、音量を大きくさせていくものもあるが、例えば、室内で、仕事に専念したいときや、赤ん坊などを寝かしつけるときには、かえって呼出音の存在は邪魔なものとなる。
【０００５】
そこで、本発明は、必要時には、呼出音の発生を停止できるようにすることを目的とする。
【課題を解決するための手段】
【０００６】
本発明は、玄関機からの呼出時に呼出音を発生する呼出音発生回路を有する住宅情報盤において、住宅情報盤に、呼出音の発生を停止する停止手段を設け、その停止手段が操作されるとき、玄関機から呼出があっても、呼出音発生回路から呼出音を出力させないように制御する制御部を設けたことを特徴とするものである。制御部は、停止手段が操作されるとき、呼出音発生回路とスピーカとの接続を遮断するように制御するものである。
【発明の効果】
【０００７】
本発明は、住宅情報盤に、呼出音の発生を停止する停止手段を設け、この停止手段を操作したときには、玄関機から呼出があっても、呼出音発生回路から呼出音を出力させないようにした。より具体的には、呼出音発生回路とスピーカとの接続を遮断するようにしたものなので、玄関機から呼出があっても、スピーカから呼出音が出力されるのを防止することができる。
【０００８】
また、停止手段が操作されるときに起動され、所定時間を計測するタイマを設けたので、タイマによる所定時間が経過した後は、呼出音発生回路とスピーカとの遮断状態を解除するようにした。このため、停止手段の操作を戻し忘れても、所定時間経過後には、呼出音を出力できる通常状態に戻すことができる。
【０００９】
また、集合玄関機からの情報を記録する記録手段を設け、タイマにより所定時間が計測されている間に、集合玄関機から呼出がある場合には、記録手段を動作させるので、呼出音停止中の間に来た訪問者の情報を記録しておくことができる。
【発明を実施するための最良の形態】
【００１０】
以下、本発明の実施の形態を、図面を用いて説明する。図１は本発明の住宅情報盤のブロック図である。図１において、１０は集合玄関（共同玄関ともいう）に設けられる集合玄関機、２０は住戸内に設けられる住宅情報盤、３８は制御装置で、集合玄関機１０と住宅情報盤２０の間に設けられる。集合玄関機１０及び住宅情報盤２０は、通話線や制御線（以下、通話制御線Ｌ２という）を介して制御装置３８に接続され、この制御装置３８が、住宅情報盤２０と集合玄関機１０とのインターホン通話や映像信号の制御をしている。４０は住宅情報盤２０に接続される玄関子機としてのドアホンである。なお、本実施形態では、ドアホン４０と集合玄関機１０とをまとめて、玄関機と呼ぶ。
【００１１】
集合玄関機１０は、図示しない、住戸番号を指定するテンキーと、呼出釦と、スピーカやマイクからなる通話部とを有する。ドアホン４０は、住宅情報盤２０と通話線Ｌ１で接続されている。ドアホン４０は、呼出用の呼出釦４２を有している。また、図示しないが、スピーカやマイクで構成される通話回路を備えている。
【００１２】
次に、住宅情報盤２０について説明する。住宅情報盤２０において、２１は通話線Ｌ１に接続された呼出検出回路、２２は通話部で、第１の切換スイッチ２３を介して通話線Ｌ１に接続されている。この通話部２２は、第２の切換スイッチ２４を介して通話制御線Ｌ２とも接続されている。通話部２２は、スピーカ２２ｓやマイク２２ｍを有し、集合玄関機１０の通話部やドアホンの通話回路とインターホン通話を行うものである。２５は通話制御線Ｌ２に接続された、信号送受信部で、制御装置３８とのインタフェースとして機能する。
【００１３】
２６は呼出音発生回路で、集合玄関機１０からの呼出時や、ドアホン４０からの呼出時に、呼出音を発生する回路である。２７ｃは停止手段としての呼出音停止釦で、呼出音発生回路２６からの呼出音の発生を停止させたいときに操作するもので、操作部２７に設けられる。停止手段としては、このように釦で形成してもよいが、例えば、メニュー画面が表示される液晶モニタを設け、このモニタ上で呼出音量の設定画面を開き、そこで、呼出音の大きさを上下キーで操作して、呼出音量をゼロにすることで、呼出音の発生を停止させるようにしてもよい。
【００１４】
２８は第３の切換スイッチで、スピーカ２２ｓと呼出音発生回路２６との間に設けられる。この第３の切換スイッチ２８は、通常時は、呼出音発生回路２６とスピーカ２２ｓとを接続しているが、呼出音停止釦２７ｃが操作されるとき、後述の制御部によって、呼出音発生回路２６とスピーカ２２ｓとの接続を遮断するように切換制御される。
【００１５】
２９はタイマで、呼出音停止釦２７ｃが操作されるときに起動され、所定時間、例えば、数時間を計測するものである。３０は記録手段で、集合玄関機１０からの呼出時に、集合玄関にいる訪問者の音声情報や映像情報などの情報を記録する。
【００１６】
３１は電源回路３２から電源が供給された制御部で、住宅情報盤２０内の全ての構成ブロック２１〜３０と接続されて信号のやり取りをして、第１の切換スイッチ２３〜第３の切換スイッチ２８の切換動作を制御する。制御部３１は、停止手段である呼出音停止釦２７ｃが操作されるとき、玄関機１０，４０から呼出があっても、呼出音発生回路２６から呼出音を出力させないように制御するもので、具体的には、呼出音発生回路２６とスピーカ２２ｓとの接続を遮断するように制御する。
【００１７】
次に、訪問者が集合玄関機１０を操作して、ある住戸の居住者を呼び出す場合について説明する。まず、集合玄関機１０において、訪問者は、テンキーで、訪問したい住戸の住戸番号を指定し、そして、呼出釦を押す。そうすると、呼出信号が出力され、制御装置３８及び通話制御線Ｌ２を介して、住宅情報盤２０の信号送受信部２５で呼出信号が受信される。
【００１８】
ここで、住宅情報盤２０の制御部３１は、呼出音発生回路２６を動作させて、スピーカ２２ｓから呼出音を出力して、居住者を呼び出す。居住者が操作部２７にある図示しない通話釦を押すと、制御部３１により第２の切換スイッチ２４が閉じて、通話部２２と集合玄関機１０の通話部とでインターホン通話を行うことができる。
【００１９】
また、ドアホン４０からの呼出の場合には、訪問者が、ドアホン４０の呼出釦４２を押すと、ドアホン４０からの呼出信号が呼出検出回路２１で検出され、呼出音発生回路２６を動作させて、スピーカ２２ｓから、ドアホン用の呼出音を報知する。そして、再度、居住者が、図示しない通話釦を押せば、制御部３１が、第１の切換スイッチ２３を閉じて、通話部２２とドアホン側の通話回路とが接続され、ドアホン４０側の訪問者と通話を行うことが可能となる。
【００２０】
ここで、住戸内の居住者が、仕事に集中したいなどのために、呼出音を停止させる場合について説明する。この場合には、まず、操作部２７の呼出音停止釦２７ｃを操作する。この操作に伴い、制御部３１は、第３の切換スイッチ２８を切り換えて、呼出音発生回路２６とスピーカ２２ｓとの接続を遮断するように制御する。つまり、スピーカ２２ｓは、呼出音発生回路２６と切り離され、通話部２２側に接続される。
【００２１】
また、制御部３１は、呼出音停止釦２７ｃが操作されることにより、タイマ２９を起動する。このタイマ２９により所定時間が計測されている間は、記録手段３０も起動する。
このような状態において、集合玄関に訪問者がきて、この住宅情報盤２０を呼び出すと、先程と同じように、信号送受信部２５が呼出信号を受信するので、制御部３１が呼出音発生回路２６を動かすが、スピーカ２２ｓが切り離されているため、呼出音は出力されない。このため、居住者は、呼出音の報知によって、仕事を中断しなくてすみ、集中して仕事に取り組むことができる。
【００２２】
一方、集合玄関機１０から呼出がある場合には、記録手段３０を動作させているので、
呼出音停止中の間に来た訪問者の情報、例えば、集合玄関機１０のカメラで撮像した画像情報を記録しておくことができる。この記録手段３０に記録した情報は、操作部２７にある図示しない再生釦を押すことによって、再生可能なので、居住者は、仕事が終わった後に、呼出音を停止させている間に、訪れた訪問者を知ることができる。
【００２３】
居住者が仕事を終えた場合には、呼出音停止釦２７ｃを再度、操作することで、第３の切換スイッチ２８の状態を切り換え、呼出音発生回路２６とスピーカ２２ｓとを接続するようにする。これにより、以後、集合玄関機１０から呼出があった場合には、呼出音が出力される。
【００２４】
ところで、居住者が、呼出音停止釦２７ｃを元に戻し忘れる場合があり、そのような場合は、全く、呼出音が出力されなくなり、訪問者の存在に気付くことができない。このような不具合を解消するために、タイマ２９を設けてある。つまり、タイマ２９による所定時間が経過した後は、制御部３１は第３のスイッチ２８の状態を元に戻すように切り換えて、呼出音発生回路２６とスピーカ２２ｓとの遮断状態を解除するようにした。このため、停止手段の操作を戻し忘れても、所定時間経過後には、呼出音を出力できる通常状態に戻すことができる。
【００２５】
本発明は、以上のように構成されるが、呼び出す機器に応じて、第３の切換スイッチ２８の状態を切り換えるようにしてもよい。例えば、集合玄関機１０からの呼出の場合は、セールスマンなどの呼出を拒否したい場合が多いが、ドアホン４０からの呼出は、マンション内の住人による呼出が考えられ、呼出を拒否しない方が良い場合がある。そこで、呼出検出回路２１と信号送受信部２５とにより、どちらの機器からの呼出信号であるかを制御部３１が判別して、ドアホン４０からの呼出である場合には、第３の切換スイッチ２８が呼出音発生回路２６と切り離されていても、スイッチをスピーカ２２ｓと接続するように切り換えて、呼出音を出力させるようにしてもよい。
【００２６】
また、呼出音を停止している状態であっても、仕事の合間とかで、居住者が呼出に応答できる場合であって、住宅情報盤２０の表示部に訪問者が来ていることを確認した場合には、操作部２７の図示しない通話釦を押すことで、第２の切換スイッチ２４を閉じて、訪問者と通話を行えるようにしてもよい。このように呼出音を停止させても、訪問者が来て呼出中であることを、すぐに認識できるように、玄関機１０，４０からの呼出時には、住宅情報２０にある表示部や表示灯を点滅させるなどして、遠くから見ても、呼出があることをわかりやすくしてもよい。
【図面の簡単な説明】
【００２７】
【図１】本発明の住宅情報盤のブロック図である。
【符号の説明】
【００２８】
１０ 集合玄関機、  ２０  住宅情報盤、  ２１  呼出検出回路、
２２  通話部、  ２２ｓ  スピーカ、  ２２ｍ  マイク、
２３  第１の切換スイッチ、  ２４  第２の切換スイッチ、
２５  信号送受信部、  ２６  呼出音発生回路、  ２７  操作部、
２７ｃ  呼出音停止釦、  ２９  タイマ、  ３０  記録手段、
３１  制御部、  ３２  電源回路、  ３８  制御装置、
４０  ドアホン、ｔｔ  ４２  呼出釦、
【図１】
2008258695.tif 000003